(57)【要約】【課題】原稿搬送路の長さを短くし、装置の小型化を図ることができる原稿を混載可能な自動原稿送り装置を提供する。【解決手段】原稿載置部２から原稿Ｄを１枚ずつ繰出し、搬送路５に沿って搬送しながらその画像を搬送路５の途中に配設された読取手段３１によって読取るようにした自動原稿送り装置１であって、上記搬送路５における読取手段３１の上流側にレジスト手段７を配し、且つこのレジスト手段７の上流側近傍の搬送路５に、搬送原稿Ｄを撓ませることが可能な空間部２２を形成したことを特徴とする。【選択図】        図１
2005119814.tif 000002
【特許請求の範囲】
【請求項１】
原稿載置部から原稿を１枚ずつ繰出し、原稿搬送路に沿って搬送しながらその画像を原稿搬送路の途中に配設された読取手段によって読取るようにした自動原稿送り装置であって、
上記原稿搬送路における読取手段の上流側にレジスト手段を配し、且つこのレジスト手段の上流側近傍の搬送路に、搬送原稿を撓ませることが可能な空間部を形成したことを特徴とする自動原稿送り装置。
【請求項２】
上記空間部には、搬送される原稿先端部をレジスト手段の導入口にガイドさせると共に原稿の撓みに応じて弾性変形し得る弾性フィルムが装着されていることを特徴とする請求項１に記載の自動原稿送り装置。
【請求項３】
上記空間部の上流側の原稿搬送路には、搬送可能とされる原稿のうち、最大幅の原稿が通過する時にのみオンとなる第１センサと、最小幅の原稿より大きな原稿が通過するとオンとなる第２センサとが配設され、第１センサのオン・オフ信号と、第２センサのオン・オフ信号及びそのオンからオフへの経過時間とにより搬送原稿毎のサイズを判定し得るようにしたことを特徴とする請求項１又は２に記載の自動原稿送り装置。
【発明の詳細な説明】
【技術分野】
【０００１】
本発明は、原稿を搬送させながら、原稿搬送路の途中に配設された読取部において原稿画像を読取る所謂シートスルータイプの原稿読取装置における自動原稿送り装置（ＡＤＦ）に関し、更に詳しくは、原稿供給トレイに異なるサイズの原稿が混載された場合でも、的確な読取を実施することができる自動原稿送り装置に関する。
【背景技術】
【０００２】
上記シートスルータイプの原稿読取装置は、読取部のプラテンガラスの下方に読取スキャナを静止させておき、自動原稿送り装置により原稿をプラテンガラス上に連続給送させながら、その画像を読取るものである。このような原稿読取装置においては、拡大・縮小モードの場合に、画像品質の維持の為、読取時の原稿搬送速度の変更がなされることが多い。その為、原稿供給トレイから給送される原稿のサイズが読取り前に認識される必要がある。また、両面読取を１回の通紙で行う場合にも必要である。そこで、原稿供給トレイ上に、その搬送方向に沿って複数のセンサを設置し、その検出信号により原稿のサイズ判定を行うようにしている。しかし、このような原稿供給トレイ上に複数のセンサを設ける例では、原稿供給トレイ上にサイズの異なる原稿が混載された場合、最大サイズの原稿を検出することになるから、原稿毎の正確なサイズ情報は得られないと言う問題がある。また、上層原稿から繰出す場合は、原稿供給トレイ上には、大サイズの原稿が上になるようその堆積順序を揃える必要がある。
【０００３】
上記問題点を解消する為に、特許文献１に開示された原稿読取装置では、原稿供給トレイから原稿を繰出・分離して後、リードセンサまでの間の原稿搬送路に複数のセンサを配置して、搬送されて来る原稿毎の先端及び後端検出情報に基づき、各原稿についてのサイズ判定を行っている。また、特許文献２では、原稿搬送路の途中に退避路を設け、原稿が混載されている場合は、この退避路に原稿を一旦退避させて原稿の長さを検出するようにしている。
【特許文献１】特開平８−１３３５５１号公報
【特許文献２】特開平１１−２９３１号公報
【発明の開示】
【発明が解決しようとする課題】
【０００４】
しかし、上記特許文献１の原稿読取装置では、リードセンサまでの原稿搬送路の長さを、最大原稿サイズの長さの１／２（例えば、最大原稿サイズがＡ３の場合、２１０ｍｍ）以上確保する必要がある為に、装置の小型化に限界があった。また、特許文献２の原稿読取装置では、途中に退避路を設ける為に、原稿搬送路のレイアウト構成が複雑となる上に、フラッパ等の付帯部材及びその作動機構を配置する必要があり、嵩高且つコスト高になることは予想されるところであった。
【０００５】
本発明は、上記のような実情に鑑みなされたものであり、原稿搬送路の長さを短くし、装置の小型化を図ることができる混載可能な自動原稿送り装置を提供するものである。
【課題を解決するための手段】
【０００６】
本発明は、原稿載置部から原稿を１枚ずつ繰出し、原稿搬送路に沿って搬送しながらその画像を搬送路の途中に配設された読取手段によって読取るようにした自動原稿送り装置であって、上記原稿搬送路における読取手段の上流側にレジスト手段を配し、且つこのレジスト手段の上流側近傍の原稿搬送路に、搬送原稿を撓ませることが可能な空間部を形成したことを特徴とする。
【０００７】
請求項２の発明は、上記空間部には、搬送される原稿先端部をレジスト手段の導入口にガイドさせると共に原稿の撓みに応じて弾性変形し得る弾性フィルムが装着されていることを特徴とする。
【０００８】
請求項３の発明は、上記空間部の上流側の原稿搬送路には、搬送可能とされる原稿のうち、最大幅の原稿が通過する時にのみオンとなる第１センサと、最小幅の原稿より大きな原稿が通過するとオンとなる第２センサとが配設され、第１センサのオン・オフ信号と、第２センサのオン・オフ信号及びそのオンからオフへの経過時間とにより搬送原稿毎のサイズを判定し得るようにしたことを特徴とする。
【発明の効果】
【０００９】
本発明によれば、レジスト手段の上流側近傍の原稿搬送路に、搬送原稿を撓ませることが可能な空間部を形成しているので、レジスト手段の調整によって撓わんだ原稿を、この空間部に受容させることができる。従って、この空間部の上流側に、搬送原稿の長さを検出する手段を設け、原稿をこの空間部で撓ませるように搬送すれば、実質上読取部までの原稿搬送路の長さを、最大原稿長さの１／２以上確保することなく、原稿毎のサイズ特定を読取部前に確定させることができ、原稿載置部にサイズの異なる原稿が混載されても、原稿毎に的確な搬送・読取制御がなされる。
【発明を実施するための最良の形態】
【００１０】
以下に本発明の実施の形態について図面を参照して説明する。図１はファクシミリ装置や複写機、或いはファクシミリと複写の両機能を備えた所謂複合機における自動原稿送り装置１の要部の縦断面図を示すものである。
【実施例】
【００１１】
図例の自動原稿送り装置（ＡＤＦ）１は、シートものの原稿Ｄを１枚ずつ搬送しながら、その両面の画像を読み取って、それぞれデジタル信号として出力するための原稿読取装置として構成されている。ＡＤＦ１の原稿供給口部２ａには、原稿供給トレイ２ｂが該原稿供給口部２ａに向かって下方に傾斜するよう着脱自在に装着され、この原稿供給口部２ａと原稿供給トレイ２ｂにより原稿載置部２が構成されている。原稿供給口部２ａ上には、原稿供給トレイ２ｂに堆積された原稿Ｄを上層部より繰出すピックアップローラ３が配設され、このピックアップローラ３に引き続き、繰出された原稿を１枚ずつ分離して給送する原稿分離手段４が装備されている。該原稿分離手段４は、分離ローラ４ａとこの分離ローラ４ａの周体に弾接するよう付勢された分離パッド４ｂからなる。
【００１２】
ピックアップローラ３で繰出された原稿は、分離ローラ４ａと分離パッド４ｂとの間に導入され、分離ローラ４ａの回転に伴う両者の紙に対する摩擦係数の差により１枚ずつ分離され、下流側に給送される。圧縮スプリング４ｃは、分離パッド４ｂを分離ローラ４ａの周体に弾接させる為のものである。尚、原稿分離手段４として、分離ローラ４ａと分離パッド４ｂとよりなるものに代え、分離ローラとリタードローラとの組合わせによるもの等も採用可能であることは言うまでもない。
【００１３】
上記原稿分離手段４により１枚ずつ分離された原稿は、Ｕターン状に形成された原稿搬送路５に沿って順次配設された第１搬送ローラ６、レジストローラ（レジスト手段）７及び第２搬送ローラ８によりレジスト搬送されて第１の読取ポイント（読取部）Ｐ１に至り、更に、第３搬送ローラ９により第２の読取ポイントＰ２に給送され、排出ローラ１０により排出トレイ１１に排出される。第１の読取ポイントＰ１にはプラテン１２が配置され、原稿が該プラテン１２上を通過する際、このプラテン１２の下部に待機された読取走査装置１３により原稿表面の画情報が逐次読み取られ、上記のようにデジタル信号として出力される。
【００１４】
この読取走査装置１３は、蛍光灯或いは冷陰極管からなる光源１３ａと、複数のミラー１３ｂ…と、集光レンズ１３ｃと、ＣＣＤ（電荷結合素子）１３ｄとよりなり、これらがユニット化され、キャリッジ１３ｅ上に搭載されている。光源１３ａからの照射光は、プラテン１２上の読取ポイントＰ１を通過する原稿により反射され、その後４個のミラー１３ｂ…で反射を繰り返し、集光レンズ１３ｃで集光され、ＣＣＤ１３ｄに入光する（１点鎖線の光路参照）。ＣＣＤ１３ｄでは、原稿の表面上に描かれた画情報が電気信号に変換され、デジタル信号として出力される。
【００１５】
図例の読取走査装置１３は、フラットベッドスキャナ（ＦＢＳ）にも兼用するよう構成されている。即ち、図示を一部省略したが、図１における破断部分の右側にはＦＢＳ部１４が連成されている。上記キャリッジ１３ｅは、図例ではＡＤＦ原稿の読取位置に静止された状態を示すが、ＦＢＳ原稿の読取時には、ＦＢＳ部１４内に移動し、ＦＢＳ部１４内をプラテンガラス１５の下面に沿って往復移動し、この往復移動の間、プラテンガラス１５上に載置された原稿の画情報が、読取走査装置１３によって上記同様に読み取られる。原稿読取装置１、原稿供給トレイ２ｂ及び排出トレイ１１は一体化されてプラテンカバーを構成し、紙面奥側をヒンジ部（不図示）として上下に開閉可能とされている。従って、ＦＢＳ部１４にて原稿読み取りを行う際は、このプラテンカバーを開け、露見したプラテンガラス１５上に原稿を載置することによりなされる。
【００１６】
上記のように、第１の読取ポイントＰ１で表面画像が読み取られた原稿は、更に、第３搬送ローラ９により搬送されて第２の読取ポイントＰ２に至るが、この第２の読取ポイントＰ２は、搬送原稿の裏面側に配置された密着型イメージセンサ１６と、これに接触的に配置されたプラテンローラ１７との接触点とされる。即ち、密着型イメージセンサ１６とプラテンローラ１７との間に導入される原稿は、プラテンローラ１７の回転により密着型イメージセンサ１６の読取面を摺接しながら給送され、この間に原稿の裏面画像が密着型イメージセンサ１６により読取られて、電気信号に変換されてデジタル信号として出力される。
【００１７】
上記分離ローラ４ａ、第１搬送ローラ６、レジストローラ７、第２、第３搬送ローラ８、９、プラテンローラ１７及び排出ローラ１０は、１個のモーター（不図示）を駆動源とし、適宜ギヤ或いはベルト等の伝達手段（同）を介し駆動伝達がなされ、また適宜電磁クラッチ（同）により個々にオン・オフ制御がなされるよう構成されている。
【００１８】
ピックアップローラ３は、分離ローラ４ａの駆動軸４ｄから駆動伝達されるよう構成される。これを略述すれば、該駆動軸４ｄにはトルクリミッタ（不図示）を介しフレーム３ａが上下揺動可能に取付けられ、このフレーム３ａの先側には支軸３ｂが軸回転可能に支持されている。上記駆動軸４ｄに取付けられたプーリー４ｅと、支軸３ｂに取付けられたプーリー３ｃとの間にベルト３ｄが張設されており、駆動軸４ｄの回転がプーリー４ｅ、ベルト３ｄ及びプーリー３ｃを介して支軸３ｂに伝達され、更にこの支軸３ｂの回転はワンウェイクラッチ（不図示）を介してピックアップローラ３に伝達されるようになされている。
【００１９】
斯く構成されたピックアップローラ３は、待機状態ではフレーム３ａをして上方に位置し、上記駆動軸４ｄが正回転（Ａ方向）すると、上記トルクリミッタの作用によりフレーム３ａが駆動軸４ｄを支点として下方に揺動する。この揺動はピックアップローラ３が原稿供給トレイ２上に堆積された原稿Ｄの最上層部に押当した時に停止するが、駆動軸４ｄの引続く回転により、上記伝達系（プーリー４ｅ、ベルト３ｄ及びプーリー３ｃ）を介しピックアップローラ３が回転する。このように、駆動軸４ｄが正回転している間、ピックアップローラ３は堆積原稿Ｄの最上層部に押当されながら回転するので、原稿Ｄは最上層部より逐次繰出されて行く。そして、駆動軸４ｄが一旦停止し逆回転（反Ａ方向）すると、フレーム３ａがトルクリミッタの作用により上方に揺動し、その後の駆動軸４ｄの停止により、待機状態に静止保持される。
【００２０】
分離ローラ４ａは不図示のワンウェイクラッチを介し駆動軸４ｄから駆動伝達される。従って、駆動軸４ｄの正回転により、上記のようにピックアップローラ３から原稿Ｄが繰出され、繰出された原稿Ｄは分離ローラ４ａと分離パッド４ｂとの間に導入され、前記のように１枚ずつ分離されて下流側に給送される。分離ローラ４ａから給送された原稿Ｄは、第１搬送ローラ６によりレジストされて更に下流側に搬送されるが、この第１搬送ローラ６以降の各ローラ７、８、９、１７、１０の周速は、分離ローラ４ａ及びピックアップローラ３の周速より大とされ、分離ローラ４ａと第１搬送ローラ６との間で原稿のページ間隔を確保するようになされている。従って、分離ローラ４ａから給送された原稿Ｄの先端が、第１搬送ローラ６に差し掛かると、その周速度差により、原稿に搬送負荷（引張力）が掛かるが、分離ローラ４ａ及びピックアップローラ３には上述のように不図示のワンウェイクラッチが組み込まれており、これにより両ローラ４ａ、３が空回転し、上記搬送負荷が緩和される。
【００２１】
第１搬送ローラ６、レジストローラ７、第２、第３搬送ローラ８、９及び排出ローラ１０には、夫々プレッシャーローラ６ａ、７ａ、８ａ、９ａ及び１０ａが対設され、原稿はこれらローラにニップされて搬送される。上記分離ローラ４ａとこれに連関するピックアップローラ３及びプレッシャーローラ６ａ、７ａは、ヒンジピン１８ａを支点として上下に開閉可能に枢着されたジャムアクセスカバー１８の内側に取付けられている。従って、第２搬送ローラ８に至るまでの原稿搬送路５で原稿ジャムが発生した場合は、このジャムアクセスカバー１８を開けることにより、分離パッド４ｂ、第１搬送ローラ６、レジストローラ７との間が開放されるので、ジャム原稿の取出しが容易に行える。
【００２２】
また、第２搬送ローラ８、第３搬送ローラ９、これらと対をなすプレッシャーローラ８ａ、９ａ、プラテンローラ１７及び排出ローラ１０は、ＡＤＦ１を含む前記プラテンカバーの機枠をなす機体フレーム１９及びこれに固定された筒状の中間インナーガイドフレーム２０に取付けられている。更に、分離パッド４ｂ、密着型イメージセンサ１６及びプレッシャーローラ１０ａは、第１搬送ローラ６の駆動軸６ｂに対し該駆動軸６ｂを支点として上下に開閉可能に枢着された中間フレーム２１に取付けられている。第３搬送ローラ９以降でのジャム時には、上記ジャムアクセスカバー１８を開けた上で中間フレーム２１を開ければ、密着型イメージセンサ１６とプラテンローラ１７との間、及び排出ローラ１０とプレッシャーローラ１０ａとのニップ関係が開放されるから、この部分でのジャム原稿の取出しが容易に行える。
【００２３】
第１搬送ローラ６とレジストローラ７との間の搬送路５におけるジャムアクセスカバー１８側のガイド壁部が凹まされ、これにより搬送原稿の撓みを許容する空間部２２が形成されている。また、レジストローラ７の原稿導入部近傍のガイド壁部には、搬送原稿の先端をこの導入部にガイドすると共に、空間部２２において撓もうとする原稿の動きに追随して弾性変形する弾性フィルム２３が、空間部２２に臨むよう固着されている。
【００２４】
上記原稿供給口２ａには原稿有無センサ２ｃが、分離ローラ４ａと第１搬送ローラ６との間に第１及び第２センサ２４、２５（図２参照）が、また、第２搬送ローラ８の上流側近傍にはリードセンサ２６が、夫々配設されている。図例では、これらセンサを、フィラー型のセンサとして示している。第１センサ２４は、自動原稿送り装置１により搬送可能とされる原稿のうち、最大幅の原稿が通過する時にのみオンとなる位置に、また、第２センサ２５は、最小幅の原稿より大きな原稿が通過するとオンとなる位置に夫々設けられており、これら両センサ２４、２５の主たる機能については後記する。リ−ドセンサ２６は、搬送原稿の先端検出により、第２搬送ローラ８を作動（前記電磁クラッチをオン）して、原稿を読取ポイントＰ１にレジスト搬送すべく制御すると共に読取走査装置１３（両面読取モードの時は密着型イメージセンサ１６も）をこの原稿の給送に同期させて動作制御するための信号を導出する。
【００２５】
上記第１センサ２４及び第２センサ２５は、搬送原稿のサイズ検出手段を構成する。以下図２及び図３を参照して、この原稿サイズ検出手段について述べる。図２は、搬送原稿のサイズと第１及び第２センサ２４、２５との位置関係を示す図であり、図３は両センサの検出情報と原稿サイズとの関係を示す図である。図２において、原稿搬送方向をＢとした場合、原稿搬送方向Ｂに向かって右辺側に各原稿を揃える例を示しているが、センタ揃え或いは左辺側揃えも除外するものではない。また、図２及び図３において、（Ｔ）は上記原稿搬送方向Ｂに沿った縦置きを、（Ｙ）は原稿給送方向Ｂに直交する横置きを、夫々意味する。第１センサ２４は、最大幅の原稿が通過する時にのみオンとなる位置に設けられ、また、第２センサ２５は最小幅の原稿より大きな原稿が通過するとオンとなる位置に夫々設けられる。本実施例では、最大原稿サイズをＡ３（Ｔ）、最小原稿サイズをＡ５（Ｔ）としており、したがって、前記第１センサ２４は、Ｂ４（Ｔ）の外側でＡ３（Ｔ）内に、第２センサ２５は、Ａ５（Ｔ）より外側でＢ５（Ｔ）より内側に、夫々配置されることになる。
【００２６】
第２センサ２５により検出される原稿先端検出（オン）信号及び後端検出（オフ）信号は、後記する主制御部（ＣＰＵ）２７に導出される。主制御部２７は、このオン・オフ信号間の経過時間を計測し、第１搬送ローラ６の周速度から搬送される原稿毎の長さＬを算出する。即ち、第２センサ２５がオンとされてから第１搬送ローラ６に至るまでは分離ローラ４ａの周速度で搬送され、第１搬送ローラ６に導入されてからはその周速度で搬送されることになるから、上記長さＬは、
式、Ｌ＝〔第２センサ２５のオン・オフ間時間−原稿先端が第２センサ２５をオンしてから第１搬送ローラ６に至るまでの時間（予め設定されている）〕×第１搬送ローラ６の周速度（同）＋分離ローラ４ａの周速度（同）×第２センサ２５がオンしてから第１搬送ローラ６に至るまでの時間（同）、
で算出される。
【００２７】
上記第１センサ２４及び第２センサ２５のオン・オフ信号及び原稿長さＬの算出情報に基づき、原稿サイズは図３のように確定される。即ち、第１センサ２４がオンの場合、図２で明らかなように、原稿サイズはＡ３（Ｔ）かＡ４（Ｙ）に限られるから、第２センサ２５の検出情報に基づく長さＬが、２１０ｍｍより大きければＡ３（Ｔ）と確定し、２１０ｍｍに等しいか小さければＡ４（Ｙ）と確定する。また、第１センサ２４がオフで、第２センサ２５がオフの場合は、Ａ５（Ｔ）以下であることが確定する。更に、第１センサ２４がオフで第２センサ２５がオンの場合は、Ａ５（Ｙ）、Ｂ５（Ｔ）、Ｂ５（Ｙ）、Ａ４（Ｔ）及びＢ４（Ｔ）のいずれかのサイズである。そこで、この場合には、第２センサ２５の検出情報に基づく長さＬが、２９７ｍｍより大きければＢ４（Ｔ）と確定し、２５７ｍｍより大きく２９７ｍｍに等しいか小さければＡ４（Ｔ）と確定し、２１０ｍｍより大きく２５７ｍｍに等しいか小さければＢ５（Ｔ）と確定し、１４８ｍｍより大きく１８２ｍｍに等しいか小さければＢ５（Ｙ）と確定し、１４８ｍｍに等しいか小さければＡ５（Ｙ）と、夫々確定する。
【００２８】
このように、搬送される原稿のサイズが個々に確定するから、原稿供給トレイ２ｂに異なるサイズの原稿Ｄが混載されても、原稿毎の搬送・読取制御がなされ、特に個別に拡大・縮小或いは両面読取制御等も可能となり、混載時での読取モードの選択肢が広くなる。しかも、２個のセンサによりなされるから、センサの数を少なくすることができ、低コスト化に大きく寄与する。
【００２９】
次に、上記構成の自動原稿送り装置１における原稿搬送及び読取動作について、図４の制御システムのブロック図も参照して説明する。図４は複写機能或いはプリンタ機能も備えたファクシミリ装置を例に採った制御システムのブロック図を示す。主制御部２７はＣＰＵからなり、ファクシミリ装置としての全ての機能の動作制御を司る。ＮＣＵ２８及びモデム２９は、外部ファクシミリ装置と回線接続し、この通信回線を介した送信及び受信に伴う各種伝送信号を変調及び復調するべく機能するものである。画像メモリー３０は、前記読取走査装置１３或いは密着型イメージセンサ１６からなる読取部（読取手段）３１により読取った画像データ、或いは受信した画像データを一時的に記憶するものである。また、ＲＡＭ３２は、ワンタッチダイヤル番号、その他の各種機能に関係するあらゆるデータを記憶する。ＲＯＭ３３は、ファクシミリ装置の各種動作プログラムを格納するものである。
【００３０】
表示部３４は、液晶パネル等からなり、操作手順やエラー表示等の各種情報を、視覚的に操作者に知らせる為のものである。操作部３５は、不図示のテンキーや各種機能キー（片面・両面読取モード設定キーを含む）の他に、混載モード設定手段等の、操作者によって操作される各種操作手段からなる。記録部３６は、読取部３１で読取られた画像データや、ＮＣＵ２８を介し受信した画像データ更にはパソコン等の外部端末機から受信した画像データを印字出力するものであり、電子写真方式、インクリボン方式或いはインクジェット方式等、公知の記録手段が採用される。レジストローラ７は不図示のモータから駆動伝達されるものであり、後記するように原稿の搬送に伴い、電磁クラッチ等により駆動制御されるが、その他の搬送系も個々に駆動制御されることは言うまでもない。第１センサ２４、第２センサ２５は、原稿搬送に伴う上記検出信号を主制御部２７に導出する。
【００３１】
図１において、操作者は原稿供給トレイ２ｂの上に原稿束Ｄを上向きページ順にセットする。異なるサイズの原稿Ｄが混載される場合は、操作者により上記混載モード設定手段が操作される。上記のように、操作者によって混載モード設定手段の操作がなされ、更に、片面・両面読取モード等の選択キー、画質設定キーその他の機能キーの設定操作（ファクシミリ送信の場合は、相手先番号の入力や各種送信モード設定等を含む）がなされた後、操作スイッチ（不図示）がオンされると、ピックアップローラ３が下降して原稿供給トレイ２ｂ上に載置された原稿束Ｄの上面に押当すると共にピックアップローラ３、分離ローラ４ａ及び第１搬送ローラ６の回転が開始する。これに伴い、最上層の原稿Ｄが繰出され、分離ローラ４ａと分離パッド４ｂの作用により重送が阻止された状態で１枚の原稿Ｄが装置内に給送される。原稿Ｄの幅サイズに応じて上記第１センサ２４或いは第２センサ２５がオンとされ、この検出信号が主制御部２７に導出される。
【００３２】
装置内に給送された原稿Ｄは、引続き第１搬送ローラ６によって搬送され、その先端が図１の１点鎖線で示すようにレジストロー７に導入される。この場合、レジストローラ７の原稿導入部近傍のガイド壁部には、弾性フィルム２３が、空間部２２に臨むよう固着されているから、原稿Ｄの先端は、多少上向きに反り返っていたりしても、この弾性フィルム２３によってガイドされ、空間部２２に突入することなくレジストローラ７とプレッシャーロー７ａとの間に確実に導入される。そして、レジストローラ７は停止状態に維持され、その先端部の給送は阻止されるから、引き続く第１搬送ローラ６の搬送作用を受けて、原稿Ｄは図１の２点鎖線で示すように空間部２２内で、山形に撓むことになる。この時、弾性フィルム２３も図１の２点鎖線で示すように、空間部２２において撓もうとする原稿Ｄの動きに追随して弾性変形して、原稿Ｄの撓みを許容する。
【００３３】
主制御部２７は、原稿Ｄが空間部２２内で十分に撓むに要する時間（予め設定されている）経過後、レジストローラ7 以降の搬送系の作動を開始させる。拡大・縮小モードが選択されている場合は、これらのモードに応じて第２搬送ローラ８以降の搬送系の周速度が適宜設定される。これにより、画像品質の優れた拡大・縮小読取が可能となる。そして、レジストローラ7 以降の搬送系の作動の開始に伴い、原稿Ｄは先端部からレジストローラ７によってレジストされ、リードセンサ２６をオンして、第２搬送ローラ８により第１読取ポイントＰ１に導入される。リードセンサ２６のオン信号により、読取走査装置１３（両面読取モードの時には密着型イメージセンサ１６も）が起動態勢に入り、第１読取ポイントＰ１に至った原稿Ｄの第１面（表面）の画像が読取走査装置１３によって順次読取られて行く。
【００３４】
原稿Ｄは引続き第３搬送ローラ９により搬送され、第２読取ポイントＰ２に導入され、両面読取モードの場合は、密着型イメージセンサ１６により、その第２面（裏面）の画像が読取られる。その後、排出ローラ１０により排出トレイ１１上に第１面が下向きになるよう排出される。次原稿Ｄも同様にして搬送・読取がなされ、排出トレイ１１上に排出堆積される。このように、各原稿Ｄは、その第１面が下向きとなるよう排出トレイ１１上に排出されるから、ページ順に堆積されることになり、爾後のページ揃えを行うことを必要としないことになる。
【００３５】
上記のように、装置内に給送された原稿Ｄは、第１搬送ローラ６により連続的に給送されるが、その先側部分は、レジストローラ７以降の搬送系の作動が開始するまでは、空間部２２内で撓むから、第２センサ２５で原稿の後端が検出（オフ）され、その長さＬが上記のように算出され確定された時点における先端部の搬送路５内での搬送パス長さは、実質上このＬより短くなる。従って、第２センサ２５からリードセンサ２６までの距離を、最大原稿長さの１／２以上に確保する必要がなく、装置のコンパクト化を図ることができる。
【００３６】
このように、原稿Ｄの先端がリードセンサ２６に至るまでにそのサイズが確定するから、原稿供給トレイ２ｂに異なるサイズの原稿が混載されている場合でも、原稿Ｄ毎の読取制御が的確になされる。また、原稿搬送路５に空間部２２を確保するだけで、そのコンパクト化が図られるから、設計上の大幅な変更を要さず、コストの増大を伴わずに実施できるから極めて実用性は大である。
【００３７】
尚、上記実施形態では、原稿有無センサ２ｃ、第１、第２センサ２４、２５及びリードセンサ２６として、フィラー型のセンサを採用した例を示したが、これに限らず、その他の同様の機能を奏するセンサも採用可能である。また、ＡＤＦ１として、両面読取用の例を示したが、片面読取のＡＤＦにも本発明が適用され得ることは言うまでもない。
【図面の簡単な説明】
【００３８】
【図１】ＡＤＦと走査装置の要部を示す縦断面図である。
【図２】原稿サイズ検出手段による検出の態様を説明する概略的平面図である。
【図３】第１及び第２センサの検出情報と原稿サイズとの関係を示す図である。
【図４】本発明装置の制御ブロック図である。
【符号の説明】
【００３９】
１      ＡＤＦ（自動原稿送り装置）
２      原稿載置部
５      原稿搬送路
７      レジストローラ（レジスト手段）
２２    空間部
２３    弾性フィルム
２４    第１センサ
２５    第２センサ
３１    読取部（読取手段）
Ｄ      原稿
【図１】
2005119814.tif 000003
【図２】
2005119814.tif 000004
【図３】
2005119814.tif 000005
【図４】
2005119814.tif 000006